(57)【要約】【課題】  鍵孔シャッターの装着が簡単で見栄えも良い取付機構を提供する。【解決手段】  カップ状のシリンダ筒１に第１環堤部７を形成して、その内側に鍵孔シャッター組立体８を収納し、一方、浅いカップ状で、その底板中央に大径孔を開口させたキーガイドカバー１１を設け、その短筒部１２の内径を鍵孔シャッター組立体８の外側に嵌合できるように、また、外径を第１環堤部７の内側に嵌合できるように、更にまた、短筒部内側の母線方向の長さを鍵孔シャッター組立体８の厚さと同程度になるように夫々設定し、他方、キーガイドカバーの短筒部の開口端縁部に、夫々母線方向に延伸すると共に先端に鈎部１３を形成した、弾性を有する複数の係止脚１４を一体に突設し、また、シリンダ筒の外端面に上記係止脚が挿通できるスリットを形成すると共に、シリンダ筒内周面に係止脚の鈎部１３と係合する段部１５を形成する。【選択図】  図２
2008144371.tif 000002
【特許請求の範囲】
【請求項１】
内側にシリンダ錠を収納したカップ状のシリンダ筒の、カップの底面の外面に第１環堤部を形成して、その内側に鍵孔シャッター組立体を収納し、一方、浅いカップ状で、その底面中央に大径孔を開口させたキーガイドカバーを設け、その短筒部の内径を鍵孔シャッター組立体の外側に嵌合できるように、また、外径を第１環堤部の内側に嵌合できるように、更にまた、短筒部内側の母線方向の長さを鍵孔シャッター組立体の厚さと同程度になるように夫々設定し、他方、キーガイドカバーの短筒部の開口端縁部に、夫々母線方向に延伸すると共に先端に鈎部を形成した、弾性を有する複数の係止脚を一体に突設し、また、シリンダ筒の外端面に上記係止脚が挿通できるスリットを形成すると共に、シリンダ筒内周面に係止脚の鈎部と係合する段部を形成したことを特徴とする鍵孔シャッターの取付機構。
【請求項２】
内側にシリンダ錠を収納したカップ状のシリンダ筒の、カップの底面の外面に第１環堤部を形成して、その内側に鍵孔シャッター組立体を収納し、一方、浅いカップ状で、その底面中央に大径孔を開口させたキーガイドカバーを設け、その短筒部の内径を鍵孔シャッター組立体の外側に嵌合できるように、また、外径を第１環堤部の内側に嵌合できるように、更にまた、短筒部内側の母線方向の長さを鍵孔シャッター組立体の厚さと同程度になるように夫々設定し、他方、キーガイドカバーの短筒部の開口端縁部に、夫々母線方向に延伸すると共に先端に鈎部を形成した、弾性を有する複数の係止脚を一体に突設し、また、シリンダ筒の外端面に上記係止脚が挿通できる開口を形成すると共に、シリンダ筒内周面に係止脚の鈎部と係合する段部を形成し、更に、キーガイドカバーの底面のみを拡径し、その裏面側の短筒部の外側に、シリンダ筒の外側に嵌合できる第２環堤部を同軸に形成したことを特徴とする鍵孔シャッターの取付機構。
【発明の詳細な説明】
【技術分野】
【０００１】
この発明は、鍵孔シャッターの取付機構（以下単に取付機構という）に係り、特に、鍵孔シャッターの装着が簡単で見栄えも良い取付機構に関する。
【背景技術】
【０００２】
本出願人は、先に、下記特許文献１を以て、新規な鍵孔シャッターを提案した。
この鍵孔シャッターは、要するに、シリンダ錠の鍵孔の前方に一対の小ローラを配設し、鍵孔に差し入れられる合鍵の厚さ方向に移動できるようにこれら一対の小ローラを案内すると共に、これらに外力が作用しない常態において相互に接合するように付勢し、以て鍵孔の前方を閉塞するようにしたものである。
【特許文献１】特願２００６−２８７０９７
【発明の開示】
【発明が解決しようとする課題】
【０００３】
しかして、上記特許文献１における鍵孔シャッターの取付は（特許文献１の図１参照）、シリンダ錠３を内蔵したシリンダ筒４の外面に、鍵孔シャッターの基盤となるホルダー１６を載置し、このホルダー１６を押え筒２０によりシリンダ筒４にかしめ付ける構造である。
【０００４】
この場合、押え筒２０の材質は通常金属に限定され、また、シリンダ錠に対してホルダーの相対角度位置を定めた後押え筒を被せてかしめ付けなければならないので、先ず見栄えの点で必ずしも満足できるものではなく、更にまた、鍵孔シャッターのシリンダ錠への取付も簡単ではない、等未だ改良の余地がある。
【０００５】
そこで、この発明は、鍵孔シャッターの装着が簡単で見栄えも良い取付機構を提供することを目的としている。
【課題を解決するための手段】
【０００６】
上記の目的を達成するため、請求項１に記載の発明は、内側にシリンダ錠を収納したカップ状のシリンダ筒の、カップの底板の外面に第１環堤部を形成して、その内側に鍵孔シャッター組立体を収納し、一方、浅いカップ状で、その底板中央に大径孔を開口させたキーガイドカバーを設け、その短筒部の内径を鍵孔シャッター組立体の外側に嵌合できるように、また、外径を第１環堤部の内側に嵌合できるように、更にまた、短筒部内側の母線方向の長さを鍵孔シャッター組立体の厚さと同程度になるように夫々設定し、他方、キーガイドカバーの短筒部の開口端縁部に、夫々母線方向に延伸すると共に先端に鈎部を形成した、弾性を有する複数の係止脚を一体に突設し、また、シリンダ筒の外端面に上記係止脚が挿通できるスリットを形成すると共に、シリンダ筒内周面に係止脚の鈎部と係合する段部を形成したことを特徴とする。
【０００７】
また、請求項２に記載の発明は、内側にシリンダ錠を収納したカップ状のシリンダ筒の、カップの底板の外面に第１環堤部を形成して、その内側に鍵孔シャッター組立体を収納し、一方、浅いカップ状で、その底板中央に大径孔を開口させたキーガイドカバーを設け、その短筒部の内径を鍵孔シャッター組立体の外側に嵌合できるように、また、外径を第１環堤部の内側に嵌合できるように、更にまた、短筒部内側の母線方向の長さを鍵孔シャッター組立体の厚さと同程度になるように夫々設定し、他方、キーガイドカバーの短筒部の開口端縁部に、夫々母線方向に延伸すると共に先端に鈎部を形成した、弾性を有する複数の係止脚を一体に突設し、また、シリンダ筒の外端面に上記係止脚が挿通できる開口を形成すると共に、シリンダ筒内周面に係止脚の鈎部と係合する段部を形成し、更に、キーガイドカバーの底板のみを拡径し、その裏面側の短筒部の外側に、シリンダ筒の外側に嵌合できる第２環堤部を同軸に形成したことを特徴とする。
【発明の効果】
【０００８】
上記のように構成された請求項１及び２に記載の発明による取付機構は、かしめではなく、キーガイドカバーの係止脚の鈎部とシリンダ筒内周面の段部との係合により鍵孔シャッター組立体を固定できるので、キーガイドカバーの材質を例えば合成樹脂等の装飾性に優れたものを選定でき、見栄えが良くデザイン上有利である。
【０００９】
また、キーガイドカバーの係止脚をシリンダ筒の開口に差込むだけで固定できるので、工場ではなく建築現場において簡単に鍵孔シャッターの取付を行うことができる。
【００１０】
更にまた、請求項２に記載の発明によれば、シリンダ筒の外端部をキーガイドカバーの第２環堤部で被覆できるので、シリンダ筒を扉面から突出させるタイプの取付機構においても見栄えを良くすることができる、等種々の効果を奏する。
【発明を実施するための最良の形態】
【００１１】
シリンダ筒の外側に鍵孔シャッター組立体を収納する凹陥部を形成し、これを覆うキーガイドカバーの係止脚をシリンダ筒外端面の開口を挿通させるだけで鍵孔シャッター組立体を固定できる。
【実施例１】
【００１２】
以下、この発明の一実施例を図面を参照して説明する。
なお、説明の都合上請求項１に記載の発明を先ず説明する。
【００１３】
図１及び図２において符号１はシリンダ筒を示し、このシリンダ筒１は内側にシリンダ錠２（図１参照）を収納する厚肉カップ状の部材である。
【００１４】
なお、図１に示すシリンダ筒１は、前記特許文献１に記載のシリンダ筒とは異なり、全体が扉Ｄ内に埋設される例えば引戸錠用のものである。
【００１５】
ちなみに、図１に示すシリンダ錠２の内筒内端に突出したテールピース３は図示しないピニオンに連結されており、合鍵４によってシリンダ錠２を解錠した後これを所定の方向に回すと、上記ピニオンとかみあうラック５が上下し、このラック５により、図示しない錠箱からカマが振出され、扉枠に開口したストライク孔と係合するように構成されているが、その錠止機構はこの発明の要旨ではないので、更に詳細な説明は省略する。
【００１６】
一方、図２に示すように、上記シリンダ筒の底板６の外面に第１環堤部７が形成されており、この第１環堤部７が包囲する凹陥部内に鍵孔シャッター組立体８が収納される。上記底板６の中央の開口にはシリンダ錠のキーガイドが係入する。
【００１７】
なお、この鍵孔シャッター組立体８の構造については前記特許文献１に詳細に説明されているから、更に詳細な説明を省略するが、簡単に言えば、合鍵の幅方向に延在する一対のローラ９、９がばねにより相互に接合するように付勢されており、図２に示す常態では鍵孔を閉塞しているが、合鍵が挿入されると、一対のローラ９、９が上下に開き、合鍵の通過を許容する。
【００１８】
上記のようにして、また、図１に示すように第１環堤部７の内側の凹陥部に収納された鍵孔シャッター組立体が外側に抜け出ることを防止するため、図２に示すように、例えば合成樹脂等の弾性材料よりなるキーガイドカバー１１が設けられている。
【００１９】
このキーガイドカバー１１は、図２乃至図５に示すように、その底板中央に大径孔１６を形成した浅いカップ状の部材で、そのカップの筒部をなす短筒部１２を有している。
【００２０】
図面を明瞭にするため図１においては短筒部１２に付番しないが、図１に示すように、その短筒部１２の内径を鍵孔シャッター組立体８の外側に嵌合できるように、また、短筒体の外径を前記第１環堤部７の内側に嵌合できるように、更にまた、短筒部１２の内側の母線方向の長さを鍵孔シャッター組立体８の厚さと同程度になるように夫々設定する。
【００２１】
そのため、第１環堤部の内側に鍵孔シャッター組立体８を収納した状態でキーガイドカバー１１を被せると、図１に示すように、鍵孔シャッター組立体８を内側にピッタリと嵌め込んだキーガイドカバー１１をシリンダ筒の第１環堤部７の内側にピッタリ嵌め込むことになり、このようにして鍵孔シャッター組立体８はシリンダ錠の前方に確りと固定される。
【００２２】
なお、実際の組立においては、鍵孔シャッター組立体８を第１環堤部７の内側の凹陥部に嵌め込んでからキーガイドカバー１１を被せることになるので、鍵孔シャッター組立体８とシリンダ筒の底板６の相互に対向する面の一方に複数の突起を、他方にこの突起と係合する凹部を夫々形成し、鍵孔シャッター組立体８を第１環堤部７の内側の凹陥部に嵌め込んだとき、前者の後者における相対位置、及び関係角度位置が設定できるようにすると良い。
【００２３】
そして、鍵孔シャッター組立体８を抱持した態様で第１環堤部７の内側の凹陥部に嵌め込まれたキーガイドカバーが抜け出てしまうことを防止するため、図２及び図４に示すように、キーガイドカバーの短筒部１２の開口端縁部に、夫々母線方向に延伸すると共に先端に鉤部１３を形成した、弾性を有する複数の（図示の実施例では一対の）係止脚１４、１４が一体に突設されている。
【００２４】
これに対応して、図２に示すように、シリンダ筒の底板６には上記係止脚１４が挿通できる付番しないスリットを形成すると共に、シリンダ筒の内周面に係止脚の鉤部１３と係合できる段部１５が形成されている。
【００２５】
上記のように構成された請求項１に記載の発明の一実施例による取付機構は、図２に示すように、シリンダ筒の第１環堤部７の内側に鍵孔シャッター組立体８を嵌め込み、更にキーガイドカバー１１を被せると、その係止脚１４がシリンダ筒の底板６に開口した付番しないスリットを通ってシリンダ筒１の内部に差し込まれ、弾性を有する係止脚の先端の鉤部が不可逆的かつ自動的に上記段部１６と係合し、このようにして鍵孔シャッター組立体８の抜け止めが施される。
【００２６】
この状態でキーガイドカバー１１を正面から見ると、その底板の中央に形成された大径孔１６の内側にキーガイドカバー８が覗く。
【００２７】
なお、図１において符号１７は化粧座板を示し、この化粧座板１１を扉外面に固定するには、例えば、その裏面側に突設された係止片１８を扉外面に開口した付番しない取付孔に嵌め込むとき、係止片１８の基部に形成された凸部を弾性変形させて取付孔の開口端縁裏面側に係止させる。
【実施例２】
【００２８】
図示の実施例はシリンダ筒２を完全に扉Ｄ内に埋設した場合場合に好適であるが、前記特許文献１に記載の鍵孔シャッターのようにシリンダ筒２が扉面から突出する場合には、シリンダ筒の先端部外周面が露出して見栄えが悪くなる（図示せず）。
【００２９】
このような場合には、請求項２に記載の発明のように、キーガイドカバー１１の底板のみを拡径し、その裏面側の短筒部の外側に、シリンダ筒の外側に嵌合できる薄肉の第２環堤部を同軸に形成し（図示せず）、この第２環堤部によりシリンダ筒の先端部外周面を覆うと良い。
【００３０】
この場合の第２環堤部の筒部の長さは、断面台形の化粧リングからのシリンダ筒の突出量に応じて適切に設定する。
【図面の簡単な説明】
【００３１】
【図１】請求項１に記載の発明の一実施例による取付機構の断面図。
【図２】取付機構の主要部を構成する部材を展開して示す側面図。
【図３】キーガイドカバーの正面図。
【図４】キーガイドカバーの側面図。
【図５】取付機構の正面図。
【符号の説明】
【００３２】
１  シリンダ筒
２  シリンダ錠
３  テールピース
４  合鍵
５  ラック
６  底板
７  第１環堤部
８  鍵孔シャッター組立体
９  ローラ
１１  キーガイドカバー
１２  短筒部
１３  鉤部
１４  係止脚
１５  段部
１６  大径孔
【図１】
2008144371.tif 000003
【図２】
2008144371.tif 000004
【図３】
2008144371.tif 000005
【図４】
2008144371.tif 000006
【図５】
2008144371.tif 000007